Podtech/llm-jp-corpus-v4-ja_patent huggingface dataset:
【手続補正書】
【提出日】平成28年12月27日(2016.12.27)
【手続補正１】
【補正対象書類名】特許請求の範囲
【補正対象項目名】全文
【補正方法】変更
【補正の内容】
【特許請求の範囲】
【請求項１】
容器瓶からユーザの眼に点眼薬を供給するための誘導器具であって、
該誘導器具を容器瓶に着脱可能に取り付けるための取り付け具と、
該取り付け具から外側に延在する２本の腕部と、
該腕部の端部を橋渡しする半円形状の位置調整部と、 
該位置調整部から遠い方の腕部の端部に前記取り付け具を接続すると共に、前記位置調整部が、使用位置にある時、容器瓶とユーザの眼との間に位置する様に、前記誘導器具が容器瓶に取り付けられている間、誘導器具を、収容位置と使用位置との間で繰り返し回転可能な様に構成される２つのヒンジと、および、
前記誘導器具が使用中に取り付けられた容器瓶からユーザの眼へと、点眼薬が、重力により供給される位置である使用位置に前記誘導器具を固定するための第１固定具とを有し、
前記誘導器具は、単一の構成部品であり、
前記２つのヒンジは、前記単一の構成部品の柔軟な部分であり、
前記柔軟な部分の各々は、リビングヒンジとして機能すると共に、前記柔軟な部分の両側に位置する前記取り付け具及び前記腕部よりも薄い、誘導器具。
【請求項２】
前記位置調整部は、半円形状部分の開口距離が増減可能な様に、指圧により弾性的に変形可能である、請求項１に記載の誘導器具。
【請求項３】
前記位置調整部の半円形状部分の開口の距離は、５ｍｍ減少可能である、請求項２に記載の誘導器具。
【請求項４】
前記第１固定具は、前記取り付け具から延びる一対の第１つまみ部と、前記２本の腕部から延びる一対の第２つまみ部とを有し、
前記一対の第１つまみ部は、前記誘導器具が使用位置にある時に、前記一対の第２つまみ部上の突起が穴と嵌合した状態で、該突起の各々を受ける様に形成された穴を有する、請求項１〜３の何れか一項に記載の誘導器具。
【請求項５】
前記第１固定具は、前記誘導器具が指圧により前記使用位置から回転する時に外れる、請求項４に記載の誘導器具。
【請求項６】
前記一対の第２つまみ部は、前記誘導器具が使用位置にある時に前記取り付け具に接し、前記誘導器具が回転しても前記使用位置を越えることはない、請求項４または５に記載の誘導器具。
【請求項７】
前記誘導器具が容器瓶に取り付けられる時に、収容位置にある誘導器具を固定するための第２固定具を更に有する、請求項１〜６の何れか一項に記載の誘導器具。
【請求項８】
前記腕部及び前記位置調整部は、前記収容位置と前記使用位置との間で、前記取り付け具の周りを約１８０度回転する様に構成される、請求項１〜７の何れか一項に記載の誘導器具。
【請求項９】
前記取り付け具は、指圧により弾性的に変形可能な開襟部を有する、請求項１〜８の何れか一項に記載の誘導器具。
【請求項１０】
容器瓶に取り付けられた時の、
前記誘導器具の２本の腕部を、各リビングヒンジを軸に使用位置まで回転させ、
前記２本の腕部の回転位置を前記使用位置に固定し、
位置調整部の端部を押して、該位置調整部の半円形状部分の開口距離を減少させ、
前記容器瓶を反転させ、
前記位置調整部が上側及び下側のまぶたに渡って接触する様に、前記誘導器具の２本の腕部の端部を橋渡しする前記位置調整部を位置させることにより、前記容器瓶を投与対象の眼に調心し、
まぶたを開いて開いた状態を維持し、点眼薬投与中のまばたきを防止可能な様に、位置調整部の端部を放し、および、
前記容器瓶の胴体部分を押して、重力により、投与ノズルからユーザの眼に点眼薬を落下させる、各ステップを有する、請求項２〜９の何れか一項に記載の誘導器具の使用方法。
【手続補正２】
【補正対象書類名】明細書
【補正対象項目名】０００７
【補正方法】変更
【補正の内容】
【０００７】
本発明の第１側面によれば、重力の下で、容器瓶からユーザの眼に点眼薬を供給するための誘導器具が提供される。誘導器具は、該誘導器具を上記容器瓶に着脱可能に嵌合するための取り付け具と；該取り付け具から外側に延在する２本の腕部と；該腕部の端部を橋渡しする半円形状の位置調整部と；該位置調整部から遠い方の腕部の端部に上記取り付け具を接続する２つのリビングヒンジとを有する。該ヒンジは、上記誘導器具が上記容器瓶に取り付けられている間、誘導器具を、収容位置と使用位置との間で繰り返し回転可能な様に構成される。これにより、上記位置調整部は、使用位置にある時、上記容器瓶とユーザの眼との間に位置し、点眼薬を投与している間、ユーザの眼に対する容器瓶の位置の調整を確実に行う。誘導器具は、該誘導器具を使用位置に固定するための第１固定具を更に有する。これにより、ユーザの眼と容器瓶との間の距離は、点眼薬の投与中、常に一定となる。上記取り付け具は容器瓶に着脱可能に取り付けられるので、誘導器具は、他の容器瓶との間でも再使用可能である。
【手続補正書】
【提出日】平成28年11月25日(2016.11.25)
【手続補正１】
【補正対象書類名】特許請求の範囲
【補正対象項目名】全文
【補正方法】変更
【補正の内容】
【特許請求の範囲】
【請求項１】
ユーザの感情状態の指標を感知するように構成された１つまたは複数のバイオセンサと、
前記ユーザの前記感情状態に基づいて反応するように構成された機械的な羽と、
前記ユーザの第一の感情状態が前記１つまたは複数のバイオセンサによって感知された場合、第一の手法で前記機械的な羽を動かし、前記ユーザの第二の感情状態が前記１つまたは複数のバイオセンサによって感知された場合、異なる第二の手法で前記機械的な羽を動かすように構成されたマイクロコントローラと
を備える、ロボットの蝶。
【請求項２】
前記機械的な羽は、加熱されると収縮する電線と組み合わされており、前記マイクロコントローラは、前記電線を加熱させるまたは冷えさせることにより前記機械的な羽を動かす請求項１に記載のロボットの蝶。
【請求項３】
前記マイクロコントローラは、前記ユーザの前記第一の感情状態を示す穏やかなホバリングで前記ロボットの蝶の前記機械的な羽を動かし、前記ユーザの前記第二の感情状態を示す大きい羽ばたきで前記ロボットの蝶の前記機械的な羽を動かす、請求項１に記載のロボットの蝶。
【請求項４】
前記マイクロコントローラは、前記ユーザの前記第一の感情状態を示す第一の速度で前記ロボットの蝶の前記機械的な羽を動かし、前記ユーザの前記第二の感情状態を示す第二の速度で前記ロボットの蝶の前記機械的な羽を動かす、請求項１に記載のロボットの蝶。
【請求項５】
ユーザの感情状態の指標を感知するように構成されたバイオセンサと、
前記バイオセンサが前記ユーザの第一の感情状態の指標を感知する場合、第一の速度で動くことによって、かつ、前記バイオセンサが前記ユーザの第二の感情状態の指標を感知する場合、第二の速度で動くことによって、前記ユーザの前記感情状態に基づいて動くように構成された機械的な羽と、
を備える、気分作動装置。
【請求項６】
気分作動装置が、機械的な蝶を含み、前記機械的な羽が、前記機械的な蝶の羽を含む、請求項５に記載の気分作動装置。
【請求項７】
前記機械的な羽が、前記ユーザの前記感情状態にマッピングされるように動くことによって、前記ユーザの前記感情状態に基づいて動くように構成される、請求項５に記載の気分作動装置。
【請求項８】
前記機械的な羽が、前記ユーザの前記感情状態にマッピングされるように動き、当該動きが前記ユーザの前記感情状態を視覚的に反映することによって、前記ユーザの前記感情状態に基づいて動くように構成される、請求項５に記載の気分作動装置。
【請求項９】
前記機械的な羽が、前記ユーザの前記感情状態を変化させる助けとなるように設計されたように動くことによって、前記ユーザの前記感情状態に基づいて動くように構成される、請求項５に記載の気分作動装置。
【請求項１０】
前記気分作動装置は、前記ユーザによって着用可能である、請求項５に記載の気分作動装置。
【請求項１１】
前記バイオセンサが、前記ユーザと物理的な接触を行うように構成される、請求項５に記載の気分作動装置。
【請求項１２】
前記バイオセンサが、心拍数モニタ、心電図モニタ、または電気皮膚反応モニタのうちの少なくとも１つを含む、請求項５に記載の気分作動装置。
【請求項１３】
ユーザの感情状態の指標を感知することと、
前記ユーザの第一の感情状態の指標を示す第一の速度で動くことによって、または、前記ユーザの第二の感情状態の指標を示す第二の速度で動くことによって、前記ユーザの前記感情状態に基づいて、気分作動装置の機械的な羽を動かすことと、
を含む、方法。
【請求項１４】
前記気分作動装置が、機械的な蝶を含み、前記機械的な羽が、前記機械的な蝶の羽を含む、請求項１３に記載の方法。
【請求項１５】
前記動かすことは、前記ユーザの前記第一の感情状態を示す穏やかなホバリングに対応する前記第一の速度で前記ロボットの蝶の前記機械的な羽を動かし、前記ユーザの前記第二の感情状態を示す大きい羽ばたきに対応する前記第二の速度で前記ロボットの蝶の前記機械的な羽を動かす、請求項１４に記載の方法。
【請求項１６】
前記ユーザの前記第一の感情状態は、リラックスな状態を含み、前記ユーザの前記第二の感情状態はストレスを感じている状態を含む、請求項１５に記載の方法。
【請求項１７】
前記機械的な羽は、前記ユーザの前記感情状態を示すように設計されたように動く、請求項１３に記載の方法。
【請求項１８】
前記機械的な羽は、前記ユーザの前記感情状態を視覚的に反映するように設計されたように動く、請求項１３に記載の方法。
【請求項１９】
前記機械的な羽は、前記ユーザの前記感情状態を変化させる助けとなるように設計されたように動く、請求項１３に記載の方法。
【手続補正書】
【提出日】平成28年12月6日(2016.12.6)
【手続補正１】
【補正対象書類名】特許請求の範囲
【補正対象項目名】全文
【補正方法】変更
【補正の内容】
【特許請求の範囲】
【請求項１】
撮像装置を使用して、薄膜培養器の第１の画像を生成するステップであって、前記薄膜培養器が、透明フィルムカバーシートを有する前面と、半透明基板を有する背面とを有し、
前記第１の画像が、前記薄膜培養器の前記前面に照明を提供しながら生成され、
前記薄膜培養器が、第１の指示化合物及び第２の指示化合物を含み、
前記第１の指示化合物が、微生物によって、第１の色を有する第１の生成物に変換され、
前記第２の指示化合物が、微生物によって、第２の色を形成する水拡散性の第２の生成物に変換される、ステップと、
前記撮像装置を使用して、前記薄膜培養器の第２の画像を生成するステップであって、前記第２の画像が、前記薄膜培養器の前記背面に照明を提供しながら生成される、ステップと、
前記第１の画像及び前記第２の画像を解析して、各画像中の微生物コロニーを同定するステップと、
前記第１の画像を解析して、前記薄膜培養器中の特定の位置におけるコロニーのサイズパラメータの第１の値を計算するステップと、
前記第２の画像を解析して、前記薄膜培養器中の前記特定の位置における前記サイズパラメータの第２の値を計算するステップと、
前記第１の値を前記第２の値と比較するステップと、を含み、
前記第１の画像が、背面照明に対する前面照明の第１の比で、前記薄膜培養器を照射しながら生成され、
前記第２の画像が、前記第１の比よりも低い背面照明に対する前面照明の第２の比で、前記薄膜培養器を照射しながら生成される、方法。
【請求項２】
コンピュータ可読媒体であって、プロセッサによって実行されるとき、前記プロセッサを備える培養プレートスキャニングシステムに、
薄膜培養器の第１の画像を得ることであり、前記第１の画像が、背面照明に対する前面照明の第１の比で、前記薄膜培養器を照射しながら生成される、薄膜培養器の第１の画像を得ることと、
前記薄膜培養器の第２の画像を得ることであり、前記第２の画像が、前記第１の比よりも低い背面照明に対する前面照明の第２の比で、前記薄膜培養器を照射しながら生成される、前記薄膜培養器の第２の画像を得ることと、
前記第１の画像及び前記第２の画像を解析して、各画像中の微生物コロニーを同定することと、
前記第１の画像を解析して、前記薄膜培養器中の特定の位置におけるコロニーのサイズパラメータの第１の値を計算することと、
前記第２の画像を解析して、前記薄膜培養器中の前記特定の位置における前記サイズパラメータの第２の値を計算することと、
前記第１の値を前記第２の値と比較することと、をさせる、コンピュータ可読命令を含む、コンピュータ可読媒体。
【手続補正書】
【提出日】平成28年12月1日(2016.12.1)
【手続補正１】
【補正対象書類名】特許請求の範囲
【補正対象項目名】全文
【補正方法】変更
【補正の内容】
【特許請求の範囲】
【請求項１】
水中の水生生物の成長を増進する照明システムであって、当該照明システムは、
水に光を放射する少なくとも１つの発光ダイオードを有する少なくとも１つの光源と、
前記少なくとも１つの光源を駆動させる少なくとも１つの光ドライバと、
少なくとも１日から２週間の期間にわたって、前記少なくとも１つの光源から放射される光の光強度レベルを第１の光強度レベルから第２の光強度レベルまで増加させるための制御信号を前記光ドライバに提供するコントローラと
を有し、
前記第１の光強度レベルは、前記第２の光強度レベルよりも少なくとも１０倍から１００倍小さい、照明システム。
【請求項２】
前記コントローラは、前記光強度レベルが前記第１の光強度レベルから前記第２の光強度レベルまで継続的に又は段階的に増加するように、制御信号を前記光ドライバに提供する、請求項１に記載の照明システム。
【請求項３】
前記コントローラは、前記期間にわたって、前記光強度レベルが前記第１の光強度レベルから前記第２の光強度レベルまで段階的に増加されるように、制御信号を前記光ドライバに提供し、前記期間中の前記制御信号は、前記光強度レベルが減少される１つ又は複数のサブ期間も提供する、請求項１に記載の照明システム。
【請求項４】
前記コントローラは、前記サブ期間の持続時間が、前記期間中に減少するように設定する、請求項３に記載の照明システム。
【請求項５】
前記コントローラは、前記光強度レベルが、前記期間の第１のサブ期間中は第１のレートで、及び前記期間の第２のサブ期間中は第２のレートで増加されるように、制御信号を前記光ドライバに提供し、前記第１のレートは、前記第２のレートよりも低い、請求項１乃至４のいずれか一項に記載の照明システム。
【請求項６】
前記少なくとも１つの光源は、浸水可能である、又は水中に沈められる、請求項１乃至５のいずれか一項に記載の照明システム。
【請求項７】
前記照明システムは、浸水可能、又は水中に１−２０メートルの深さにわたって沈められる複数の光源を有する、請求項１乃至６のいずれか一項に記載の照明システム。
【請求項８】
照明システムによって水中の水生生物の成長を促進するための方法であって、前記照明システムは、少なくとも１つの発光ダイオードを有する少なくとも１つの光源を有し、前記方法は、少なくとも１日から２週間の期間にわたって、光の光強度レベルを第１の光強度レベルから第２の光強度レベルまで増加させるために、水に光を放射するように少なくとも１つの光源を駆動させるための制御信号を提供するステップを有し、
前記第１の光強度レベルは、前記第２の光強度レベルよりも少なくとも１０倍から１００倍小さい、方法。
【請求項９】
前記光強度レベルが前記第１の光強度レベルから前記第２の光強度レベルまで継続的に又は段階的に増加するように、前記制御信号を提供するステップを有する、請求項８に記載の方法。
【請求項１０】
前記期間にわたって、前記光強度レベルが前記第１の光強度レベルから前記第２の光強度レベルまで段階的に増加されるように、制御信号を提供するステップを有し、前記期間中の前記制御信号は、前記光強度レベルが減少される１つ又は複数のサブ期間も提供する、請求項８に記載の方法。
【請求項１１】
前記サブ期間の持続時間を前記期間にわたって減少させるステップを有する、請求項１０に記載の方法。
【請求項１２】
前記光強度レベルが、前記期間の第１のサブ期間中は第１のレートで、及び前記期間の第２のサブ期間中は第２のレートで増加されるように、制御信号を提供するステップを有し、前記第１のレートは、前記第２のレートよりも低い、請求項８に記載の方法。
【請求項１３】
前記第１の光強度レベル、前記第２の光強度レベル又は前記期間の少なくとも一つは、前記水生生物の種類と前記水生生物の成長段階との少なくとも１つに依存して設定される、請求項８乃至１２のいずれか一項に記載の方法。
【請求項１４】
請求項１乃至７のいずれか一項に記載の照明システムを使用して水生生物の生長を促進するための方法であって、前記照明システムは、海ゲージと関係付けられ、
前記水生生物を水タンクから海ケージに移すステップと、
請求項８乃至１３のいずれか一項に記載の方法に従い、前記海ケージの前記照明システムからの光を制御するステップと
を有する、方法。
【請求項１５】
請求項１乃至７のいずれか一項に記載の照明システムを有する水中ケージ。
【手続補正書】
【提出日】平成28年12月12日(2016.12.12)
【手続補正１】
【補正対象書類名】明細書
【補正対象項目名】００９３
【補正方法】変更
【補正の内容】
【００９３】
本発明の好ましい実施形態のいくつかが上に記載され、具体的に例示されているが、本発明がそのような実施形態に限定されることは意図されない。様々な修正が、以下の特許請求の範囲に記述されるような、本発明の範囲および主旨から逸脱することなく行われ得る。
本発明のまた別の態様は、以下のとおりであってもよい。
〔１〕１つ以上の硬質シート、１つ以上の他のポリマー中間層シート、または１つ以上のフィルム層に積層されている少なくとも１つの中間層シートを含む安全ラミネートであって；前記少なくとも１つの中間層シートが、酸コポリマー組成物であって；前記酸コポリマー組成物がエチレンコポリマーを含み、そして前記エチレンコポリマーが、エチレンの共重合単位と、約５〜約９０重量％の３〜１０個の炭素原子を有する第１のα，β−不飽和カルボン酸の共重合単位と；任意選択的に約２〜約４０重量％の３〜１０個の炭素原子を有する第２のα，β−不飽和カルボン酸の誘導体の共重合単位を含み；ここで、前記共重合単位の重量百分率が前記エチレンコポリマーの総重量を基準としており、前記エチレンコポリマー樹脂中の前記共重合単位の重量百分率の合計が１００重量％であり；そしてここで任意選択的に前記α，β−不飽和カルボン酸単位の共重合単位のカルボン酸基の少なくとも一部がカルボキシレ−ト塩を形成するために中和されている酸コポリマー組成物と；ヒドロキシル含有架橋剤と；
任意選択的に、補助剤と
を含むラミネート。
〔２〕前記酸コポリマー組成物が前記ポリマー組成物の架橋の生成物を含み、２つ以上のエチレンコポリマーの前記カルボン酸基またはカルボキシレ−ト基の少なくとも一部が、前記ヒドロキシル含有架橋剤のヒドロキシル基の少なくとも２個と反応し、その結果前記ヒドロキシル含有架橋剤が前記２つ以上のエチレンコポリマー分子間に架橋を形成する、前記〔１〕に記載の安全ラミネート。
〔３〕前記エチレンコポリマーが、約２０〜約４００ｇ／１０分のＭＦＲを有する、前記〔１〕または前記〔２〕に記載の安全ラミネート。
〔４〕前記エチレンコポリマーが、約５〜約３０重量％の第１のα，β−エチレン系不飽和カルボン酸の共重合単位を含む、前記〔１〕または前記〔２〕に記載の安全ラミネート。
〔５〕前記第２のα，β−不飽和カルボン酸の誘導体が、アルキル（メタ）アクリレートである、前記〔１〕または前記〔２〕に記載の安全ラミネート。
〔６〕前記ヒドロキシル含有架橋剤がジオールである、前記〔１〕または前記〔２〕に記載の安全ラミネート。
〔７〕前記酸コポリマー組成物が補助剤を含み、前記補助剤がシランである、前記〔１〕または前記〔２〕に記載の安全ラミネート。
〔８〕前記硬質シートが、ＡＳＴＭ  Ｄ６３８に従って測定されるように、約６９０ＭＰａ以上の弾性率を有する材料を含み、前記材料がガラス、金属、セラミック、およびポリマーからなる群から選択される、前記〔１〕または前記〔２〕に記載の安全ラミネート。
〔９〕前記フィルム層が、金属フィルムまたはポリエステル、ポリカーボネート、ポリオレフィン、ノルボルネンポリマー、ポリスチレン、スチレン−アクリレートコポリマー、アクリロニトリル−スチレコポリマー、ポルスルホン、ポリアミド、ポリウレタン、アクリルポリマー、酢酸セルロース、セロファン、塩化ビニルポリマーおよびフルオロポリマーからなる群から選択される１つ以上の材料を含むポリマーフィルムである、前記〔１〕または前記〔２〕に記載の安全ラミネート。
〔１０〕１つ以上の他のポリマー中間層シートをさらに含む、前記〔１〕または前記〔２〕に記載の安全ラミネートであって、前記１つ以上の他のポリマー中間層シートが、ポリ（ビニルアセタール）、ポリ（塩化ビニル）、ポリウレタン、エチレン／酢酸ビニルコポリマー、酸コポリマー、およびアイオノマーからなる群から選択される１つ以上の材料を含むラミネート。
〔１１〕前記酸コポリマー組成物を含む前記少なくとも１つの中間層シートが、２つのガラスシート間に積層されている、前記〔１〕または前記〔２〕に記載の安全ラミネート。
〔１２〕前記酸コポリマー組成物を含む前記少なくとも１つの中間層シートが、ガラスシートと前記中間層シートに背を向けている表面上を耐摩耗性ハードコートでコートされているポリエステルフィルムとの間に積層されている、前記〔１〕または前記〔２〕に記載の安全ラミネート。
〔１３〕ｎ硬質シートまたはフィルム層と（ｎ−１）ポリマー中間層シートとを含む、前記〔１２〕に記載の安全ラミネートであって、（ａ）前記硬質シートまたはフィルム層の隣接ペアのそれぞれが、前記ポリマー中間層シートの１つによって空間を占められており；（ｂ）前記（ｎ−１）ポリマー中間層シートの少なくとも１つが前記酸コポリマー組成物を含み、（ｃ）ｎが整数であり、２＜ｎ＜１０であるラミネート。
〔１４〕衝撃力に直面する衝撃ゾーンと、前記衝撃ゾーンにしっかりと接着されおり、そして前記衝撃力に背を向けている破砕防止ゾーンとを含む、前記〔１３〕に記載の安全ラミネートであって、（Ａ）前記衝撃ゾーンが、前記ｎ硬質シートおよび前記（ｎ−１）ポリマー中間層シートによって形成され；（Ｂ）前記破砕防止ゾーンが、追加のポリマーシートの第一表面が、前記衝撃ゾーンにしっかりと接着され、そして前記ポリマーシートの第二表面が追加のポリマーフィルムにしっかりと接着されている状態で追加のポリマーシートおよび追加のフィルム層で形成されているラミネート。
〔１５〕（Ａ）前記ｎ硬質シートのそれぞれがガラスシートであり；（Ｂ）前記（ｎ−１）ポリマー中間層シートのそれぞれが前記酸コポリマー組成物を含み；（Ｃ）前記追加のポリマー中間層シートがポリ（ビニルブチラール）を含み；（Ｄ）前記追加のポリマーフィルムが、前記衝撃ゾーンと反対側である表面を有するポリ（エチレンテレフタレート）フィルムおよび前記表面に接着されたハードコートである前記〔１４〕に記載の安全ラミネート。
【手続補正２】
【補正対象書類名】特許請求の範囲
【補正対象項目名】全文
【補正方法】変更
【補正の内容】
【特許請求の範囲】
【請求項１】
１つ以上の硬質シート、１つ以上の他のポリマー中間層シート、または１つ以上のフィルム層に積層されている少なくとも１つの中間層シートを含む安全ラミネートであって；  前記少なくとも１つの中間層シートが、
酸コポリマー組成物であって；前記酸コポリマー組成物がエチレンコポリマーを含み、そして前記エチレンコポリマーが、エチレンの共重合単位と、約５〜約９０重量％の３〜１０個の炭素原子を有する第１のα，β−不飽和カルボン酸の共重合単位とを含み、約２〜約４０重量％の３〜１０個の炭素原子を有する第２のα，β−不飽和カルボン酸の誘導体の共重合単位を含んでもよく；ここで、前記共重合単位の重量百分率が前記エチレンコポリマーの総重量を基準としており、前記エチレンコポリマー樹脂中の前記共重合単位の重量百分率の合計が１００重量％であり；そして前記α，β−不飽和カルボン酸単位の共重合単位のカルボン酸基の少なくとも一部がカルボキシレ−ト塩を形成するために中和されていてもよい酸コポリマー組成物と；
ヒドロキシル含有架橋剤とを含み、
補助剤を含んでいてもよい、
ラミネート。
【手続補正書】
【提出日】平成28年12月12日(2016.12.12)
【手続補正１】
【補正対象書類名】特許請求の範囲
【補正対象項目名】全文
【補正方法】変更
【補正の内容】
【特許請求の範囲】
【請求項１】
コーティングを有するハウジングを含む流体タンクであって、
前記コーティングは、所定の大きさを有する粒子と、疎水性物質とを含むとともに、約１２０度よりも大きな水接触角と、約２０ｍＪ／ｍ2よりも小さな表面エネルギーとを有する、流体タンク。
【請求項２】
前記粒子は、金属酸化物を含む、請求項１に記載の流体タンク。
【請求項３】
前記粒子は、約５から約１００ナノメートルの粒径を有する、請求項１に記載の流体タンク。
【請求項４】
前記疎水性物質は、有機シランを含む、請求項１に記載の流体タンク。
【請求項５】
前記有機シランは、ペルフルオロデシルトリクロロシラン、ペルフルオロオクチルトリクロロシラン、ノノフルオロヘキシルトリクロロシラン、ペンタフルオロフェニルトリクロロシラン、ｎ−オクチルトリクロロシラン、ペンタフルオロデシルトリクロロシラン、または、それらの組み合わせからなる、請求項４に記載の流体タンク。
【請求項６】
前記ハウジングに配置された少なくとも１つの一対の向かい合った検出素子をさらに備える、請求項１に記載の流体タンク。
【請求項７】
前記検出素子は、伝導板を含む、請求項６に記載の流体タンク。
【手続補正２】
【補正対象書類名】明細書
【補正対象項目名】発明の名称
【補正方法】変更
【補正の内容】
【発明の名称】流体タンク
【手続補正書】
【提出日】平成28年12月14日(2016.12.14)
【手続補正１】
【補正対象書類名】特許請求の範囲
【補正対象項目名】全文
【補正方法】変更
【補正の内容】
【特許請求の範囲】
【請求項１】
少なくとも２つの層を含むプラスチックフィルムであって、
少なくとも１つの熱可塑性物質を含み、可視波長範囲において１０〜７０％の透過率を有する少なくとも１つのグレー層ならびに少なくとも１つの熱可塑性物質および散乱粒子を含む少なくとも１つのさらなる層
を含むことを特徴とする、プラスチックフィルム。
【請求項２】
前記グレー層が、少なくとも１つのカラー顔料または少なくとも１つの染料を含むことを特徴とする、請求項１に記載のプラスチックフィルム。
【請求項３】
５０％を超える、好ましくは７０％を超えるフィルム領域にわたって、４５０〜６００ｎｍの波長範囲の光について前記グレー層の透過率が、±１０％以下、好ましくは±７％以下、特に好ましくは±５％以下の差であることを特徴とする、請求項１または２に記載のプラスチックフィルム。
【請求項４】
リアプロジェクションフィルムとしての、好ましくは黒色パネル用途におけるリアプロジェクションフィルムとしての、請求項１に記載のプラスチックフィルムの使用。
【請求項５】
共押出、積層または押出−積層による、請求項１に記載のプラスチックフィルムを製造するためのプロセス。
【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
眼内レンズ挿入システムであって、
眼内レンズを受容するように適合されたレンズチャンバと、
前記レンズチャンバに連結され、眼内レンズがそこを通過するときに前記眼内レンズを折畳み、圧縮するように適合された、送達カートリッジと、
ユーザによって操作されるように適合されたプランジャと、
プランジャチャンバであって、前記プランジャが、前記プランジャチャンバの中で長手方向の軸線に沿って移動し、プランジャ先端部を前記長手方向の軸線に沿って移動させることを可能にするように適合された、プランジャチャンバと、
第１のプランジャ先端部及び第２のプランジャ先端部を収容するように、並びに前記第１のプランジャ先端部及び前記プランジャの整列と、前記第２のプランジャ先端部及び前記プランジャの整列との間で交互に切り替わるように適合された、プランジャ先端部チャンバと、を備える、システム。
【請求項２】
前記プランジャ先端部チャンバが、どちらのプランジャ先端部が前記長手方向の軸線と整列するかを変更することによって、前記プランジャ先端部間で切り替わるように適合される、請求項１に記載のシステム。
【請求項３】
前記プランジャ先端部チャンバが、前記第１のプランジャ先端部及び前記第２のプランジャ先端部を交互に前記プランジャと整列させるように、水平方向に移動可能である、請求項１に記載のシステム。
【請求項４】
前記プランジャ先端部チャンバが、前記第１のプランジャ先端部及び前記第２のプランジャ先端部を保持し、前記プランジャ先端部チャンバ内を水平方向に移動して、前記第１のプランジャ先端部及び前記第２のプランジャ先端部を交互に前記プランジャと整列させるように適合された、カセットを備える、請求項１に記載のシステム。
【請求項５】
前記カセットが、前記第１のプランジャ先端部が前記プランジャと整列する第１の位置中に固定されるように、及び前記第２のプランジャ先端部が前記プランジャと整列する第２の位置に固定されるように適合された、請求項４に記載のシステム。
【請求項６】
前記プランジャ先端部チャンバが、前記第１のプランジャ先端部が前記プランジャによって移動させられるときに、圧縮するように適合され、前記プランジャが解放されるときに、前記第１のプランジャ先端部及び前記プランジャを引込むように適合された、バネを備える、請求項１に記載のシステム。
【請求項７】
前記プランジャが、当接接触を介して前記第１のプランジャ先端部を係合するように適合され、噛み合い関係によって第２のプランジャ先端部を係合するように適合される、請求項１に記載のシステム。
【請求項８】
前記レンズチャンバが、前記第１のプランジャ先端部が所定の距離を越えて前進進するのを防止するように適合される、請求項１に記載のシステム。
【請求項９】
前記所定の距離が、眼内レンズを実質的に折畳むことと関連付けられる距離に対応する、請求項８に記載のシステム。
【請求項１０】
前記送達カートリッジに連結され、折畳まれて圧縮された眼内レンズの注射のために眼中に挿入されるように適合された、挿入先端部を更に含む、請求項１に記載のシステム。
【請求項１１】
前記第１のプランジャ先端部が、第１の硬度を有する材料を含み、前記第２のプランジャ先端部が、第２の硬度を有する材料を含み、前記第１の硬度が、前記第２の硬度よりも実質的に高い、請求項１に記載のシステム。
【請求項１２】
眼内レンズの挿入方法であって、
眼内レンズを折畳むために、長手方向の軸線に沿って第１の方向に適用される力に応答して、第１のプランジャ先端部を、前記長手方向の軸線に沿って、送達カートリッジ中に移動させることと、
前記適用された力が減少するのに応答して、前記長手方向の軸線に沿って第２の方向に移動させることと、
第２のプランジャ先端部を係合することと、
前記眼内レンズを圧縮するために、前記長手方向の軸線に沿って前記第１の方向に適用される力に応答して、前記第２のプランジャ先端部を、前記長手方向の軸線に沿って、前記送達カートリッジ中に移動させることと、を含む、方法。
【請求項１３】
前記適用された力が減少するのに応答して前記長手方向の軸線に沿って第２の方向に移動させることが、前記第１のプランジャ先端部をプランジャ先端部チャンバに戻すことを含む、請求項１２に記載の方法。
【請求項１４】
第２のプランジャ先端部を係合することが、どちらのプランジャ先端部が前記長手方向の軸線と整列するかを変更することを含む、請求項１２に記載の方法。
【請求項１５】
どちらのプランジャ先端部が前記長手方向の軸線と整列するかを変更することが、前記第１のプランジャ先端部を、前記長手方向の軸線と整列している状態から水平方向に移動させて、前記第２のプランジャ先端部を前記長手方向の軸線と整列させることを含む、請求項１４に記載の方法。
【請求項１６】
前記第１のプランジャ先端部を、前記長手方向の軸線と整列している状態から水平方向に移動させて、前記第２のプランジャ先端部を前記長手方向の軸線と整列させることが、前記プランジャ先端部を保持するように適合されたカセットを水平方向に移動させることを含む、請求項１５に記載の方法。
【請求項１７】
前記カセットを、前記第２のプランジャ先端部が前記長手方向の軸線と整列する位置で固定することを更に含む、請求項１６に記載の方法。
【請求項１８】
前記適用された力が減少するのに応答して、前記長手方向の軸線に沿って第２の方向に移動させることが、バネを除圧することを含む、請求項１２に記載の方法。
【請求項１９】
前記第２のプランジャ先端部を係合することが、前記第２のプランジャ先端部と嵌合することを含む、請求項１２に記載の方法。
【請求項２０】
前記第１のプランジャ先端部が所定の距離を進んだ後、前記第１の方向への前記第１のプランジャ先端部の移動を停止させることを更に含む、請求項１２に記載の方法。
【手続補正書】
【提出日】平成29年1月19日(2017.1.19)
【手続補正１】
【補正対象書類名】特許請求の範囲
【補正対象項目名】全文
【補正方法】変更
【補正の内容】
【特許請求の範囲】
【請求項１】
身体排泄センサであって、ポリアニリン／カーボンブラック（ＰＡＮＩ／ＣＢ）ケミレジスタを含み、前記ＰＡＮＩ／ＣＢケミレジスタのインピーダンスに少なくとも部分的に基づいて応答信号を生成するために、質問無線周波数（ＲＦ）信号により電源供給される回路を備え、前記ＰＡＮＩ／ＣＢケミレジスタのインピーダンスは、身体排泄のない場合よりも身体排泄への露出で変化する、身体排泄センサ。
【請求項２】
前記身体排泄は、尿及び／又は便を含む請求項１に記載の身体排泄センサ。
【請求項３】
前記ＰＡＮＩ／ＣＢケミレジスタのインピーダンスは、前記身体排泄と接触したときに、約１０５倍変化する請求項１又は２に記載の身体排泄センサ。
【請求項４】
前記回路は、５メートルまでの距離で前記質問ＲＦ信号によりエネルギーを与えられる請求項１から３のいずれか一項に記載の身体排泄センサ。
【請求項５】
前記身体排泄センサは、使い捨て可能である請求項１から４のいずれか一項に記載の身体排泄センサ。
【請求項６】
前記回路は、フレキシブル回路を含む請求項１から５のいずれか一項に記載の身体排泄センサ。
【請求項７】
前記回路は、共振回路を含む請求項１から５のいずれか一項に記載の身体排泄センサ。
【請求項８】
前記共振回路は、ＬＣ回路を更に含む請求項７に記載の身体排泄センサ。
【請求項９】
前記応答信号は、前記ＬＣ回路のＱ値（ｑｕａｌｉｔｙ（Ｑ）  ｆａｃｔｏｒ）を表す請求項８に記載の身体排泄センサ。
【請求項１０】
前記身体排泄が存在する場合の前記ＬＣ回路のＱ値は、前記身体排泄のない場合の前記ＬＣ回路のＱ値よりも大きい請求項９に記載の身体排泄センサ。
【請求項１１】
前記身体排泄が存在する場合の前記ＬＣ回路のＱ値は、前記身体排泄のない場合の前記ＬＣ回路のＱ値よりも小さい請求項９に記載の身体排泄センサ。
【請求項１２】
前記身体排泄が存在する場合の前記ＬＣ回路のＱ値は、前記身体排泄のない場合の前記ＬＣ回路のＱ値よりも約２倍大きい請求項９に記載の身体排泄センサ。
【請求項１３】
前記ＬＣ回路のＱ値は、前記ＰＡＮＩ／ＣＢケミレジスタのインピーダンスに比例する請求項９に記載の身体排泄センサ。
【請求項１４】
前記ＬＣ回路は、並列に構成された１以上のキャパシタ、１以上のインダクタ及び１以上のレジスタを含み、前記１以上のレジスタは、前記ＰＡＮＩ／ＣＢケミレジスタを含む請求項８に記載の身体排泄センサ。
【請求項１５】
前記１以上のレジスタは、第２のレジスタと直列な前記ＰＡＮＩ／ＣＢケミレジスタを含む請求項１４に記載の身体排泄センサ。
【請求項１６】
前記回路は、テレメトリ回路を含む請求項１に記載の身体排泄センサ。
【請求項１７】
前記テレメトリ回路は、アンテナ、１以上のトランジスタ及び第１のタイマを更に含む請求項１６に記載の身体排泄センサ。
【請求項１８】
前記第１のタイマは、発信信号を出力するように構成され、前記発信信号の周波数は、前記ＰＡＮＩ／ＣＢケミレジスタのインピーダンスに少なくとも部分的に基づく請求項１７に記載の身体排泄センサ。
【請求項１９】
前記応答信号は、質問信号の周波数から周波数がシフトしたサイドバンド信号を含み、前記サイドバンド信号の周波数は、前記第１のタイマからの前記発信信号の周波数に少なくとも部分的に基づく、請求項１８に記載の身体排泄センサ。
【請求項２０】
前記応答信号は、質問信号の周波数から周波数がシフトしたサイドバンド信号を含み、前記サイドバンド信号の周波数は、前記ＰＡＮＩ／ＣＢケミレジスタのインピーダンスに少なくとも部分的に基づく、請求項１６に記載の身体排泄センサ。
【請求項２１】
前記テレメトリ回路は、所定長さの時間で前記テレメトリ回路からの前記応答信号を遅延するように構成される第２のタイマを含み、前記所定長さの時間は、ユニーク識別子を含む、請求項１８に記載の身体排泄センサ。
【請求項２２】
前記第１のタイマからの発信出力は、質問信号により誘起される磁場を変調するために、前記トランジスタのゲートに加えられる請求項１７に記載の身体排泄センサ。
【請求項２３】
身体排泄を検出する方法であって、
身体排泄を検出するためのセンサを提供するステップであって、前記センサは、前記身体排泄が存在する場合にはインピーダンスが変化するように構成されるポリアニリン／カーボンブラック（ＰＡＮＩ／ＣＢ）ケミレジスタを含む、ステップと、
前記センサにおいて質問信号を受信するステップであって、前記質問信号は前記センサに電源供給する、ステップと、
前記質問信号に応じて前記センサから応答信号を送信するステップであって、前記応答信号は、前記ＰＡＮＩ／ＣＢケミレジスタのインピーダンスに少なくとも部分的に基づく、ステップと、
を含む方法。
【請求項２４】
前記応答信号は、前記ＬＣ回路のＱ値（ｑｕａｌｉｔｙ（Ｑ）  ｆａｃｔｏｒ）を表し、高いＱ値は、失禁イベントを表し、低いＱ値は、失禁イベントがないことを表す請求項２３に記載の方法。
【請求項２５】
前記応答信号は、前記質問信号の周波数から周波数シフトされ、前記周波数シフトは、前記ＰＡＮＩ／ＣＢケミレジスタのインピーダンスに少なくとも依存する請求項２３に記載の方法。
【請求項２６】
前記質問信号を送信するステップを更に備える請求項２３に記載の方法。
【請求項２７】
尿及び／又は便が存在するかどうかを判定するために前記応答信号を分析するステップを更に備える請求項２３に記載の方法。
【請求項２８】
前記身体排泄は、尿及び／又は便を含む請求項２３に記載の方法。
【請求項２９】
前記ＰＡＮＩ／ＣＢケミレジスタのインピーダンスは、前記身体排泄と接触したときに、約１０５倍変化する請求項２３に記載の方法。
【請求項３０】
身体排泄センサであって、センサを有し、前記センサのインピーダンスに少なくとも部分的に基づいて応答信号を生成するために、質問無線周波数（ＲＦ）信号により電源供給される共振ＬＣ回路を備え、前記センサのインピーダンスは、身体排泄への露出で変化する、身体排泄センサ。
【手続補正書】
【提出日】平成29年3月8日(2017.3.8)
【手続補正１】
【補正対象書類名】特許請求の範囲
【補正対象項目名】全文
【補正方法】変更
【補正の内容】
【特許請求の範囲】
【請求項１】
外科手術用ペンシルであって、
内側に含有された導管および少なくとも１つの電気接点要素を有するハンドピースと、
導電性材料から構成された中空管状部材であって、前記ハンドピースの全長に沿って延在し、かつ前記ハンドピースの全長に沿って前記ハンドピースの内周面と前記中空管状部材の外周面との間に空間が存在するように前記導管内に同心状に含有され、および前記少なくとも１つの電気接点要素が前記中空管状部材と接触する、中空管状部材と、
前記中空管状部材に接続された電極と、
エネルギー源を前記少なくとも１つの電気接点に接続するための手段と、
凝固材料供給を前記中空管状部材に提供するための手段と、
前記ハンドピースと前記中空管状部材との間の前記空間に真空を供給するための手段であって、前記中空管状部材の端部が前記真空が適用される外科手術用ペンシルの端部まで延在することで、外科手術用ペンシルの前記端部の内周面と前記中空管状部材の前記端部の前記外周面との間に位置する空間内に形成された真空を存在せしめる手段と
を含む外科手術用ペンシル。
【請求項２】
前記電極と反対側の前記ハンドピースの端部において前記ハンドピースに接続されたスイベル部材であって、前記中空管状部材の一部と、前記凝固材料供給を前記中空管状部材に提供する手段の一部と、の少なくとも一つを内部に含有するスイベル部材をさらに含む、請求項１に記載の外科手術用ペンシル。
【請求項３】
前記電極による切断と、凝固材料による凝固とを同時に実行するための手段をさらに含む、請求項１に記載の外科手術用ペンシル。
【請求項４】
切断と凝固とを同時に行う間、前記凝固材料が前記電極の全ての側に沿って流れることができるように前記電極が位置付けられる、請求項３に記載の外科手術用ペンシル。
【請求項５】
前記電極による切断、前記凝固材料による凝固、および前記真空による煙の排出を同時に実行するための手段をさらに含む、請求項１に記載の外科手術用ペンシル。
【請求項６】
前記凝固材料がアルゴンガスである、請求項１に記載の外科手術用ペンシル。
【請求項７】
前記中空管状部材の端部および前記中空管状部材に接続された前記電極の端部が、前記
ハンドピースの端部を少なくとも３ｃｍ越えて延在する、請求項１に記載の外科手術用ペンシル。
【請求項８】
伸縮式外科手術用ペンシルであって、
少なくとも１つの電気接点を有するハンドピースと、
伸縮部材であって、前記ハンドピースから延在する前記伸縮部材の長さを調整するために前記ハンドピース内に円周方向に位置付けられた、内側に導管を有する伸縮部材と、
導電性材料から構成された中空管状部材であって、前記ハンドピースの全長に沿って延在し、かつ前記ハンドピースの全長に沿って前記伸縮部材の内周面と前記中空管状部材の外周面との間に空間が存在するように前記導管内に同心状に含有され、前記少なくとも１つの電気接点要素が前記中空管状部材と接触する、中空管状部材と、
前記中空管状部材に接続された電極と、
エネルギー源を前記少なくとも１つの電気接点に接続するための手段と、
凝固材料供給を前記中空管状部材に提供するための手段と、
前記伸縮部材と前記中空管状部材との間の前記空間に真空を供給するための手段であって、前記中空管状部材の端部が前記真空が適用される前記伸縮部材の端部まで延在することで、前記伸縮部材の前記端部の内周面と前記中空管状部材の前記端部の前記外周面との間に位置する空間内に形成された真空を存在せしめる手段と
を含む伸縮式外科手術用ペンシル。
【請求項９】
前記電極と反対側の前記ハンドピースの端部において前記ハンドピースに接続されたスイベル部材であって、前記中空管状部材の一部と、前記凝固材料供給を前記中空管状部材に提供する手段の一部と、の少なくとも一つを内部に含有するスイベル部材をさらに含む、請求項８に記載の外科手術用ペンシル。
【請求項１０】
前記電極による切断と、凝固材料による凝固とを同時に実行するための手段をさらに含む、請求項８に記載の外科手術用ペンシル。
【請求項１１】
切断と凝固とを同時に行う間、前記凝固材料が前記電極の全ての側に沿って流れることができるように前記電極が位置付けられる、請求項１０に記載の外科手術用ペンシル。
【請求項１２】
前記電極による切断、前記凝固材料による凝固、および前記真空による煙の排出を同時に実行するための手段をさらに含む、請求項８に記載の外科手術用ペンシル。
【請求項１３】
前記凝固材料がアルゴンガスである、請求項８に記載の外科手術用ペンシル。
【請求項１４】
前記中空管状部材の端部および前記中空管状部材に接続された前記電極の端部が、前記伸縮部材の端部を少なくとも３ｃｍ越えて延在する、請求項８に記載の外科手術用ペンシル。
【請求項１５】
電気外科手術による切断と凝固材料による凝固とを同時に実行するための外科手術用ペンシルであって、
内側に含有された導管および少なくとも１つの電気接点要素を有するハンドピースと、
中空管状部材であって、前記ハンドピースの全長に沿って延在し、かつ前記ハンドピースの全長に沿って前記ハンドピースの内周面と前記中空管状部材の外周面との間に空間が存在するように前記導管内に同心状に含有され、および前記少なくとも１つの電気接点要素が前記中空管状部材と接触する、中空管状部材と、
前記中空管状部材および前記少なくとも１つの電気接点要素に接続された電極と、
エネルギー源を前記少なくとも１つの電気接点に接続するための手段と、
凝固材料供給を前記中空管状部材に提供するための手段と、
前記電極による切断と、前記凝固材料による凝固とを同時に実行するための手段と、
前記ハンドピースと前記中空管状部材との間の前記空間に真空を供給するための手段であって、前記中空管状部材の端部が前記真空が適用される外科手術用ペンシルの端部まで延在することで、外科手術用ペンシルの前記端部の内周面と前記中空管状部材の前記端部の前記外周面との間に位置する空間内に形成された真空を存在せしめる手段と
を含む外科手術用ペンシル。
【請求項１６】
切断と凝固とを同時に行う間、前記凝固材料が前記電極の全ての側に沿って流れることができるように前記電極が位置付けられる、請求項１５に記載の外科手術用ペンシル。
【請求項１７】
前記電極と反対側の前記ハンドピースの端部において前記ハンドピースに接続されたスイベル部材であって、前記中空管状部材の一部と、前記凝固材料供給を前記中空管状部材に提供する手段の一部と、の少なくとも一つを内部に含有するスイベル部材をさらに含む、請求項１５に記載の外科手術用ペンシル。
【請求項１８】
切断および凝固を同時に行う間、前記真空による煙の排出を同時に実行するための手段をさらに含む、請求項１５に記載の外科手術用ペンシル。
【請求項１９】
前記凝固材料がアルゴンガスである、請求項１５に記載の外科手術用ペンシル。
【請求項２０】
前記中空管状部材の端部および前記中空管状部材に接続された前記電極の端部が、前記ハンドピースの端部を少なくとも３ｃｍ越えて延在する、請求項１５に記載の外科手術用ペンシル。
【手続補正書】
【提出日】平成28年11月29日(2016.11.29)
【手続補正１】
【補正対象書類名】特許請求の範囲
【補正対象項目名】全文
【補正方法】変更
【補正の内容】
【特許請求の範囲】
【請求項１】
ブレードマウントであって、
当該ブレードマウントは、回転地点で運動平面を横断する当該ブレードマウントを通過する回転軸について、前記運動平面内で回転式に振動するように構成され、
当該ブレードマウントは、
２つの固定面を含む固定部分と、
ブレードを前記運動平面と平行な第１の方向において前記固定部分に向かって推進させるように構成される係止部材であって、それにより、前記ブレードを前記係止部材と前記固定面との間に固定する係止部材とを含み、
前記２つの固定面は、前記回転地点が交差地点と前記固定部分との間に横たわるように、前記固定面の平面が前記交差地点で互いに並びに前記運動平面と交差するように角度付けられる、
ブレードマウント。
【請求項２】
前記交差地点での前記固定面の２つの平面の間の運動平面内の角度は、２０°よりも大きい且つ／或いは４０°よりも小さい、請求項１に記載のブレードマウント。
【請求項３】
前記交差地点での前記固定面の２つの平面の間の運動平面内の角度は、２５°よりも大きい且つ／或いは３５°よりも小さい、請求項１又は２に記載のブレードマウント。
【請求項４】
前記交差地点での前記固定面の２つの平面の間の運動平面内の角度は、２８°よりも大きい且つ／或いは３２°よりも小さい、請求項１乃至３のうちのいずれか１項に記載のブレードマウント。
【請求項５】
ベース面を更に含み、前記固定面及び前記係止部材は前記ベース面から突出し、前記ベース面は前記運動平面と平行に走り、
前記ベース面と平行に走り且つ前記ベース面に面する上面を更に含み、前記係止部材は、前記ブレードを、前記運動平面に対してある角度にある第２の方向に沿って、前記ベース面から離れる方向に、前記上面に向かって推進させ、それにより、前記ブレードを前記係止部材と前記上面との間に固定するように更に構成される、
請求項１乃至４のうちのいずれか１項に記載のブレードマウント。
【請求項６】
前記係止部材は、前記ブレードを前記第１及び第２の方向において推進させるように構成される第１の傾斜面を含む、請求項５に記載のブレードマウント。
【請求項７】
前記ブレードが前記係止部材によって固定される前に、前記ブレードが前記ベース面に沿って当該ブレードマウント内に挿入させられるのを可能にするために、前記係止部材がもはや前記ベース面を越えて突出しないように、前記係止部材は、当該ブレードマウントのベース内に引っ込むように構成される、請求項５又は６に記載のブレードマウント。
【請求項８】
請求項１乃至７のうちのいずれか１項に記載のブレードマウントを含む動力工具のハンドピースのための取り外し可能な付属部品。
【請求項９】
請求項１乃至７のうちのいずれか１項に記載のブレードマウントを含む振動性動力工具。
【請求項１０】
請求項１乃至７のうちのいずれか１項に記載のブレードマウントと、
前記係止部材と前記ブレードマウントの前記固定面との間に固定されるように構成されるブレードとを含む、
サジタルソーアセンブリ。
【請求項１１】
外科用ソーブレードであって、
当該ブレードの平面内に横たわる長手軸を定める近位端と遠位端とを含む実質的に平面状の本体と、
切断縁を有する前記遠位端と、
当該ブレードを振動性動力工具に取り外し可能に連結するための連結部分の一部を形成する前記近位端とを含み、
前記連結部分は、当該ブレードが当該ブレードの前記平面に対して垂直に走り且つ回転地点で当該ブレードの前記平面を横断する回転軸について回転式に振動するように駆動させられるように構成され、
前記連結部分は、
当該ブレードの前記長手軸に対して垂直であり且つ当該ブレードの前記平面を通過する係止面であって、当該ブレードの前記平面を通じて延びる孔の境界の一部を形成する係止面と、
当該ブレードの前記近位端から突出する２つの突起とを含み、各突起は内面を含み、前記内面の前記平面が前記回転軸と当該ブレードの前記遠位端との間に配置される交差地点で互いに並びに当該ブレードの前記平面と交差するように、前記内面は当該ブレードの前記長手軸に対して角度付けられる、
外科用ソーブレード。
【請求項１２】
前記交差地点での前記内面の２つの平面の間の前記ブレードの前記平面内の角度は、２０°よりも大きい且つ／或いは４０°よりも小さい、請求項１１に記載の外科用ソーブレード。
【請求項１３】
前記交差地点での前記内面の２つの平面の間の前記ブレードの前記平面内の角度は、２５°よりも大きい且つ／或いは３５°よりも小さい、請求項１１又は１２に記載の外科用ソーブレード。
【請求項１４】
前記交差地点での前記内面の２つの平面の間の前記ブレードの前記平面内の角度は、２８°よりも大きい且つ／或いは３２°よりも小さい、請求項１１乃至１３のうちのいずれか１項に記載の外科用ソーブレード。
【請求項１５】
当該外科用ソーブレードの前記近位端に向かって前記長手軸と平行に方向付けられる固定力の一部が、当該外科用ソーブレードの前記平面と平行に且つ当該外科用ソーブレードの前記長手軸に対して垂直に互いに離れる方向に方向付けられる２つの反対の横方向の力に変換させられるように、当該外科用ソーブレードの前記内面は、前記固定力によってブレードマウントの１つ又はそれよりも多くの固定面に対して付勢させられるように構成される、請求項１１乃至１４のうちのいずれか１項に記載の外科用ソーブレード。